(57)【要約】      （修正有）【課題】開閉が便利で、安全で信頼性が高い新型Ｔ型露先傘を提供する。【解決手段】新型Ｔ型露先傘は、シャフト１、元親骨２、受骨３、上ロクロ４、下ロクロ５、先親骨ユニット６、ハンドル７、傘面を有し、シャフト１頂端上に上ロクロ４を固定して取り付け、上ロクロ４上に元親骨２を連接して設置し、シャフト１上に下ロクロ５を可動するように取り付け、受骨３の一端と下ロクロ５は相互に連接し、もう一端は元親骨２と可動するように連接し、元親骨２の先端上に先親骨ユニット６を連接して設置し、プラスチック係合ヘッドを通してＴ型露先係合槽と係合して連接し、ファイバー先親骨とＴ型露先は緊密に結合し、傘骨は露先中から滑って脱落しにくく、傘の正常な使用を保証する。また熱可塑性ゴムを利用しＴ型露先を製造することで、磨耗に強く、加工しやすく、堅固である。【選択図】図１
0003235285.tif 000002
【実用新案登録請求の範囲】
【請求項１】
新型Ｔ型露先傘であって、シャフト、元親骨、受骨、上ロクロ、下ロクロ、先親骨ユニット、ハンドル、傘面を有し、
前記シャフト頂端上には、上ロクロを固定して取り付け、前記上ロクロ上には、元親骨を連接して設置し、前記シャフト上には、下ロクロを可動するように取り付け、前記受骨の一端と下ロクロは、相互に連接し、もう一端は、元親骨と可動するように連接し、前記元親骨の先端上には、先親骨ユニットを連接して設置し、
前記先親骨ユニットは、ファイバー先親骨、Ｔ型露先、プラスチック係合ヘッド、連接部材を有し、前記ファイバー先親骨の外端上には、プラスチック係合ヘッドを射出成形して固定し、しかも前記プラスチック係合ヘッドを通して、Ｔ型露先を係合して接続する
ことを特徴とする、
新型Ｔ型露先傘。
【請求項２】
前記Ｔ型露先上には、係合槽を開設し、しかも前記係合槽を通して、プラスチック係合ヘッド及びファイバー先親骨と係合して連接する
ことを特徴とする、
請求項１に記載の新型Ｔ型露先傘。
【請求項３】
前記シャフト底端には、ハンドルを固定して連接し設置する
ことを特徴とする、
請求項１に記載の新型Ｔ型露先傘。
【請求項４】
前記元親骨と先親骨ユニット上には、傘面を連接して設置し、前記傘面とＴ型露先との連接箇所は、円弧形状を呈する
ことを特徴とする、
請求項１に記載の新型Ｔ型露先傘。
【請求項５】
前記Ｔ型露先の外端面は、円弧設計を呈し、前記Ｔ型露先は、ゴム材質を採用して製造する
ことを特徴とする、
請求項１に記載の新型Ｔ型露先傘。
【請求項６】
前記ファイバー先親骨のもう一端は、連接部材を通して、前記元親骨と連接する
ことを特徴とする、
請求項１に記載の新型Ｔ型露先傘。
【考案の詳細な説明】
【技術分野】
【０００１】
本考案は雨傘技術領域に関し、特に新型Ｔ型露先傘に関する。
【背景技術】
【０００２】
傘は、日除け、雨除けに用いることで、人に快適な環境を提供する道具である。
雨に濡れるのを避け、或いは強い日射を避けるため、外出する際には、傘の携帯が最も便利な方法である。
傘は日常生活において不可欠のものであり、必要になった時に人々に効果的なサポートを提供できるよう、使用と携帯の利便性を高めるため、常に改良が続けられてきた。
【０００３】
都市化が進み、人口密度が高い社会では、人が密集する状態で傘を差す状況が多くなっており、傘の辺縁が周囲の人にぶつかることも、しばしば発生している。
【０００４】
既存の傘構造は、傘骨サポートフレームユニットが硬く、しかも露先は小さく、傘布の外に突き出しているが、その先端部は尖っており、人の目や腕、手などを傷つける恐れがあるため、安全上の深刻な懸念となっている。
傘がぶつかると、人は痛みを感じ、怪我をしてしまうことさえある。
しかも、既存の傘の露先構造は壊れやすく、また脱落し易いため、使用過程で脱落してしまえば、使用において不便である。
またこれは、傘の使用寿命にマイナスの影響を及ぼしている。
【考案の概要】
【考案が解決しようとする課題】
【０００５】
前記先行技術には、露先構造が壊れやすく脱落し易いため、使用において不便で、傘の使用寿命にマイナスの影響を及ぼしているという欠点がある。
【課題を解決するための手段】
【０００６】
本考案はプラスチック係合ヘッドを通して、Ｔ型露先係合槽と係合して連接し、ファイバー先親骨とＴ型露先は緊密に結合し、傘骨は露先中から滑って脱落しにくく、こうして傘の正常な使用を保証し、また熱可塑性ゴムを利用し、Ｔ型露先を製造することで、磨耗に強く、加工しやすく、堅固であるという目的を達成することができ、ぶつかっても怪我をさせない安全な傘を構成でき、開閉が便利で、見た目が美しく、安全で信頼性が高く、先端的かつ画期的で、使用寿命が長いなどの特徴を備え、折り畳み傘、直骨傘など各種傘に適用可能である新型Ｔ型露先傘に関する。
【０００７】
本考案による新型Ｔ型露先傘は、シャフト、元親骨、受骨、上ロクロ、下ロクロ、先親骨ユニット、ハンドル、傘面を有する。
該シャフト頂端上には、上ロクロを固定して取り付け、上ロクロ上には、元親骨を連接して設置する。
該シャフト上には、下ロクロを可動するように取り付け、受骨の一端と下ロクロは、相互に連接し、もう一端は、元親骨と可動するように連接する。
該元親骨の先端上には、先親骨ユニットを連接して設置する。
該先親骨ユニットは、ファイバー先親骨、Ｔ型露先、プラスチック係合ヘッド、連接部材を有する。
該ファイバー先親骨の外端上には、プラスチック係合ヘッドを射出成形して固定し、しかもプラスチック係合ヘッドを通して、Ｔ型露先を係合して接続する。
【０００８】
好ましくは、該Ｔ型露先上には、係合槽を開設し、しかも係合槽を通して、プラスチック係合ヘッド及びファイバー先親骨と係合して連接する。
【０００９】
好ましくは、該シャフト底端には、ハンドルを固定して連接し設置する。
【００１０】
好ましくは、該元親骨と先親骨ユニット上には、傘面を連接して設置し、傘面とＴ型露先との連接箇所は、円弧形状を呈する。
【００１１】
好ましくは、該Ｔ型露先の外端面は、円弧設計を呈し、Ｔ型露先は、ゴム材質を採用して製造する。
【００１２】
好ましくは、該ファイバー先親骨のもう一端は、連接部材を通して、元親骨と連接する。
【００１３】
既存技術と比べ、本考案は以下の効果を備える。
本考案はプラスチック係合ヘッドを通して、Ｔ型露先係合槽と係合して連接し、ファイバー先親骨とＴ型露先は緊密に結合し、傘骨は露先中から滑って脱落しにくく、こうして傘の正常な使用を保証し、また熱可塑性ゴムを利用し、Ｔ型露先を製造することで、磨耗に強く、加工しやすく、堅固であるという目的を達成することができ、ぶつかっても怪我をさせない安全な傘を構成できる。
開閉が便利で、見た目が美しく、安全で信頼性が高く、先端的かつ画期的で、使用寿命が長いなどの特徴を備え、折り畳み傘、直骨傘など各種傘に適用可能である。
【図面の簡単な説明】
【００１４】
【図１】本考案による新型Ｔ型露先傘の構造模式図である。
【図２】本考案による新型Ｔ型露先傘において、Ｔ型露先とファイバー先親骨が連接する様子を示す構造模式図である。
【図３】図１中Ａ部分を拡大した構造模式図である。
【図４】図１中Ｂ部分を拡大した構造模式図である。
【図５】本考案による新型Ｔ型露先傘の実施形態の構造模式図である。
【図６】本考案による新型Ｔ型露先傘の立体構造模式図である。
【図７】本考案による新型Ｔ型露先傘の仰視構造模式図である。
【図８】本考案による新型Ｔ型露先傘の構造模式図である。
【図９】本考案による新型Ｔ型露先傘において、Ｔ型露先とファイバー先親骨が連接する様子を示す分解構造模式図である。
【考案を実施するための形態】
【００１５】
本考案の実施形態或いは従来の技術中の技術方案について明確に説明するため、以下では、実施形態或いは従来の技術に対して、図を用いて簡単に紹介する。
図は本考案の実施形態に過ぎず、本領域の通常の技術人員であれば創造的労働をしなくとも、これら図示の構造に基づき他の図を導き出すことができる。
【００１６】
以下では本考案の実施形態を示す図により、本考案の実施形態中の技術方案について明確、完全に説明する。
説明する実施形態は本考案の実施形態の一部に過ぎず、実施形態のすべてでないことは明らかである。
本考案中の実施形態に基づき、本領域の通常の技術人員であれば、創造的労働をしなくとも、すべての他の実施形態を導き出すことができ、これらもすべて本考案保護の範囲に含まれる。
【００１７】
本考案の実施形態における方向性に関わる指示（上、下、左、右、前、後など）は、ある特定の状態（図示参照）における各構成部材間の相対位置関係、運動状況等の説明に用いるだけで、その特定の状態が変化した場合には、その方向性指示もそれに応じて変化する。
【００１８】
本考案の実施形態において“第一”、“第二”等の記述がある場合には、それは目的の記述に用いるだけで、その相対的な重要性を指示または暗示、或いは技術特徴の数を示すものであるとは理解できない。
これにより、“第一”、“第二”と限定された特徴は、少なくとも１個の該特徴を含むと明示或いは暗示している。
各実施形態の間の技術方案は相互に結合できるが、本領域の通常の技術人員が実現可能であることを基礎とし、技術方案の結合に相互矛盾が出現、或いは実現不可能な時には、この種の技術方案の結合は存在しないと認定すべきで、本考案要求の保護範囲には含まれない。
【００１９】
実施形態１
図１〜９に示す通り、本考案は以下の技術方案を提供する。
新型Ｔ型露先傘は、シャフト１、元親骨２、受骨３、上ロクロ４、下ロクロ５、先親骨ユニット６、ハンドル７、傘面８を有する。
シャフト１頂端上には、上ロクロ４を固定して取り付ける。
上ロクロ４上には、元親骨２を連接して設置する。
シャフト１上には、下ロクロ５を可動するように取り付け、受骨３の一端と下ロクロ５は、相互に連接し、もう一端は、元親骨２と可動するように連接する。
元親骨２の先端上には、先親骨ユニット６を連接して設置する。
【００２０】
先親骨ユニット６は、ファイバー先親骨６１、Ｔ型露先６２、プラスチック係合ヘッド６３、連接部材６４を有する。
ファイバー先親骨６１の外端上には、プラスチック係合ヘッド６３を射出成形して固定し、しかもプラスチック係合ヘッド６３を通して、Ｔ型露先６２を係合して接続する。
【００２１】
具体的には、該Ｔ型露先６２上には、係合槽６５を開設し、しかも係合槽６５を通して、プラスチック係合ヘッド６３及びファイバー先親骨６１と係合して連接する。
【００２２】
具体的には、該シャフト１底端には、ハンドル７を固定して連接し設置する。
【００２３】
具体的には、該元親骨２と先親骨ユニット６上には、傘面８を連接して設置し、傘面８とＴ型露先６２との連接箇所は、円弧形状を呈する。
【００２４】
具体的には、該Ｔ型露先６２の外端面は、円弧設計を呈し、Ｔ型露先６２は、ゴム材質を採用して製造する。
【００２５】
具体的には、該ファイバー先親骨６１のもう一端は、連接部材６４を通して、元親骨２と連接する。
【００２６】
本考案は、プラスチック係合ヘッド６３を通して、Ｔ型露先６２の係合槽６５と係合して連接し、ファイバー先親骨６１とＴ型露先６２は緊密に結合し、ファイバー傘骨６１はＴ型露先６２中から滑って脱落しにくく、こうして傘の正常な使用を保証する。
また、熱可塑性ゴムを利用し、Ｔ型露先６２を製造することで、磨耗に強く、加工しやすく、堅固であるという目的を達成することができ、ぶつかっても怪我をさせない安全な傘を構成できる。
開閉が便利で、見た目が美しく、安全で信頼性が高く、先端的かつ画期的で、使用寿命が長いなどの特徴を備え、折り畳み傘、直骨傘など各種傘に適用可能である。
【００２７】
最後に以下について説明する。
上記は本考案の実施形態にすぎず、本考案を限定するものではなく、前述の実施形態は、本考案について詳細な説明を行なっているが、本領域の技術人員にとっては、前述の各実施形態記載の技術方案に基づき修正が可能で、或いは一部の技術特徴に対して同等の入れ替えを行うことができる。
本考案の精神、原則内で行うあらゆる修正、同等の入れ替え、改善等は、すべて本考案の保護範囲に含まれる。
【符号の説明】
【００２８】
１  シャフト、
２  元親骨、
３  受骨、
４  上ロクロ、
５  下ロクロ、
６  先親骨ユニット、
７  ハンドル、
８  傘面、
６１  ファイバー先親骨、
６２  Ｔ型露先、
６３  プラスチック係合ヘッド、
６４  連接部材、
６５  係合槽。
【図１】
0003235285.tif 000003
【図２】
0003235285.tif 000004
【図３】
0003235285.tif 000005
【図４】
0003235285.tif 000006
【図５】
0003235285.tif 000007
【図６】
0003235285.tif 000008
【図７】
0003235285.tif 000009
【図８】
0003235285.tif 000010
【図９】
0003235285.tif 000011